(57)【要約】      （修正有）【課題】構造が簡単で安価であり、うちわとしての機能も損ねることもなく、美しさや興味及び愛着等を感じさせることができる、立体うちわを提供する。【解決手段】自然景観物，建築構造物，動植物，アニメキャラクター等を印刷したモチーフ部８を傾倒自在に操作できるよう当該うちわの片面に具備する。モチーフ部の傾倒自在な操作手段として、モチーフ部の骨格となるリブ部の後端部と連続して形成されるバネ部と接続部を装着した保持具３を当該うちわの握り部２に固定し、保持具に保持具内に形成された凹部と摺接してスライド可能な凸部を形成したスライド棒４を挿入し、スライド棒を指で前後にスライドすることにより、予め４５度前後に傾斜して形成したバネ部とリブ部をスライド棒の先端部で傾倒できる構造とする。【選択図】図１
0003187543.tif 000002
【実用新案登録請求の範囲】
【請求項１】
自然景観物，建築構造物，動植物，アニメキャラクター等を印刷したモチーフ部を傾倒自在に操作できるよう当該うちわの片面に具備して構成することを特徴とした、立体うちわ。
【請求項２】
モチーフ部の傾倒自在な操作手段として、モチーフ部の骨格となるリブ部の後端部と連続して形成されるバネ部と接続部を装着した保持具を当該うちわの握り部に固定し、前記保持具に当該保持具内に形成された凹部と摺接してスライド可能な凸部を形成したスライド棒を挿入し、該スライド棒を指で前後にスライドすることにより、予め４５度前後に傾斜して形成したバネ部とリブ部を当該スライド棒の先端部で傾倒できる構造であることを特徴とした、請求項１に記載の立体うちわ。
【請求項３】
リブ部の後端部と連続して形成されるバネ部と接続部は、保持具と着脱自在に形成され若しくは一体形成されることを特徴とした、請求項１および請求項２に記載の立体うちわ。
【請求項４】
モチーフ部の傾倒自在な他の操作手段として、モチーフ部の骨格となるリブ部の後端部と連続して形成されるバネ部と接続部において、前記接続部の略中央部と当該うちわの扇ぎ面の下端部を固定具にて固定し、当該うちわを扇ぐことにより前記モチーフ部が風圧により傾倒できる構造であることを特徴とした、請求項１に記載の立体うちわ。
【考案の詳細な説明】
【技術分野】
【０００１】  本考案は、うちわの片面において自然景観物，建築構造物，動植物，アニメキャラクター等を印刷したモチーフ部を傾倒自在に装着することができ、美しさや興味及び愛着等を感じさせることができる、立体うちわに関するものである。
【背景技術】
【０００２】  従来、うちわは夏の暑い時期において手軽に涼を得るためのものとして広く利用されている。該うちわは片面に写真や図柄等を印刷し、その裏面に企業広告等を印刷したものが一般的である。このようなうちわは、宣伝企業が広告の一媒体として無料で配布することが多く、利用者はこのような販促品としてのうちわに印刷された写真や図柄及び企業広告等の印刷内容を興味を持って見ることは少なかった。したがって、新たな需要の拡大が望める商品とは言い難かった。【０００３】  上記の問題点を解決すべく、例えば実用新案登録第３０５３５６５号公報の考案の名称「団扇」では、団扇に感動を与える工夫を施し、団扇の趣味商品としての価値を飛躍的に向上させる手段として、団扇本体の板面に中空の立体模様を配設し、該中空の立体模様をその内部に配置した豆電球によってライトアップする構成の団扇に付いて記載され、実用新案登録第３１７８３２４号公報の考案の名称「握り柄の付いた構造のうちわに任意の形状の穴を開けたうちわ」では、今までになかった楽しいうちわを提供する手段として、うちわの表面に動物や植物の型ほか任意の模様の型をくり抜いて印刷模様を立体化するうちわに付いて記載され、実用新案登録第３１８３０５８号公報の考案の名称「扇ぐ風圧で動く飾り物を装備したベロのある構造のうちわ」では、新しい装飾及び玩具性を備えたうちわを提供する手段として、うちわの表面に動植物や企業のキャラクター及び任意の模様を印刷してミシン目を施し、そのミシン目に沿ってくり抜けばキャラクターなどは扇ぐ風圧で立体的に飛び出してくるうちわに付いて記載されている。【０００４】
【特許文献１】実用新案登録第３０５３５６５号
【特許文献２】実用新案登録第３１７８３２４号
【特許文献３】実用新案登録第３１８３０５８号
【考案の開示】
【考案が解決しようとする課題】
【０００５】  しかしながら、上記実用新案登録第３０５３５６５号公報に記載のものは、ライトアップできるという点では興味を感じさせることはできるものの、うちわにペンライトを組み合わせた構造のため、うちわ単体としてはコストアップとなり普及は望めない。更に、立体物がうちわの両面に突出しているため、収納性が悪いという問題点もある。また、実用新案登録第３１７８３２４号公報に記載のものは、うちわの表面に動植物などの模様の形状をくり抜くだけの構造のため、特に興味を感じさせるものでもなく、うちわの骨までくり抜くために張りの強度が落ちて破れやすくなるという問題点がある。また、実用新案登録第３１８３０５８号報に記載のものも同様に、うちわの表面に動植物などの模様の形状をくり抜くだけの構造のため、特に興味を感じさせるものでもなく、ベロの部分が折れ曲がったり当該部分より風が抜けてうちわとしての機能が落ちるという問題点がある。【０００６】  本考案は、上記の問題点を解決するために成されたものであり、構造が簡単で安価であり、うちわとしての機能も損ねることもなく、美しさや興味及び愛着等を感じさせることができる、立体うちわを提供することを目的とする。
【課題を解決するための手段】
【０００７】  上記問題点を解決するため本考案の立体うちわにおいては、自然景観物，建築構造物，動植物，アニメキャラクター等を印刷したモチーフ部を傾倒自在に操作できるよう当該うちわの片面に具備する。【０００８】  モチーフ部の傾倒自在な操作手段として、モチーフ部の骨格となるリブ部の後端部と連続して形成されるバネ部と接続部を装着した保持具を当該うちわの握り部に固定し、前記保持具に当該保持具内に形成された凹部と摺接してスライド可能な凸部を形成したスライド棒を挿入し、該スライド棒を指で前後にスライドすることにより、予め４５度前後に傾斜して形成したバネ部とリブ部を当該スライド棒の先端部で傾倒できる構造とする。【０００９】  リブ部の後端部と連続して形成されるバネ部と接続部は、保持具と着脱自在に形成され若しくは一体形成される。【００１０】  モチーフ部の傾倒自在な他の操作手段として、モチーフ部の骨格となるリブ部の後端部と連続して形成されるバネ部と接続部において、前記接続部の略中央部と当該うちわの扇ぎ面の下端部を固定具にて固定し、当該うちわを扇ぐことにより前記モチーフ部が風圧により傾倒できる構造とする。
【考案の効果】
【００１１】  本考案の立体うちわは、構造が簡単で安価であり、うちわとしての機能も損ねることもなく、美しさや興味及び愛着等を感じさせることができるという効果を奏する。更には、新たな需要の拡大が望める商品に成り得るという効果も奏する。
【考案を実施するための最良の形態】
【００１２】  本考案を実施するための最良の形態を図を用いて説明する。【００１３】  図１は本考案の立体うちわにおいてモチーフ部を立てた状態の外形図であり、（ａ）は正面図，（ｂ）は側面図である。また、図３はモチーフ部を立てた状態の機構説明図である。更に、図６は他の実施例による立体うちわの正面図である。これらの図に示すように、本考案の立体うちわ１においては、自然景観物，建築構造物，動植物，アニメキャラクター等を印刷したモチーフ部８を傾倒自在に操作できるよう当該うちわの片面に具備して成る。【００１４】  モチーフ部８の傾倒自在な操作手段として、図１及び図３に示すようにモチーフ部８の骨格となるリブ部５の後端部と連続して形成されるバネ部６と接続部７を装着した保持具３を当該うちわ１の握り部２に固定し、前記保持具３に当該保持具３内に形成された凹部３ａと摺接してスライド可能な凸部４ａを形成したスライド棒４を挿入し、該スライド棒４を指で前後にスライドすることにより、予め４５度前後に傾斜して形成したバネ部６とリブ部５を当該スライド棒４の先端部４ｂで傾倒できる構造とする。なお、図５は保持具とスライド棒の嵌合状態を示した断面図であり、前記保持具３内に形成された凹部３ａにスライド棒４に形成された凸部４ａがスライド可能に摺接している状態を示している。【００１５】  次に、図２は本考案の立体うちわにおいてモチーフ部を伏せた状態の外形図であり、（ａ）は正面図，（ｂ）は側面図である。また、図４はモチーフ部を伏せた状態の機構説明図である。該図に示すように、うちわ１の片面に具備したモチーフ部８を倒す場合、保持具３に挿着されたスライド棒４を指で前にスライドすると、該スライド棒４の先端部４ｂはバネ部６とリブ部５の後端部を押し倒すため、モチーフ部８はうちわ１の片面と略平行に伏せることになる。なお、前記バネ部６とリブ部５は予め４５度前後に傾斜して形成されているため、前記スライド棒４を指で後ろにスライドすると、バネ部６とリブ部５は前記スライド棒４の先端部４ｂから解放されるため、再び元の立った状態に戻ることになる。【００１６】  リブ部５の後端部と連続して形成されるバネ部６と接続部７は、保持具３と着脱自在に形成され若しくは一体形成される。着脱自在に形成した場合、モチーフ部８のみが簡単に交換できるため、自然景観物，建築構造物，動植物，アニメキャラクター等を印刷したモチーフ部８が好みにより自由に変えることができて便利である。【００１７】  次に、図６は他の実施例による立体うちわの正面図であり、モチーフ部８の傾倒自在な他の操作手段として、モチーフ部８の骨格となるリブ部５の後端部と連続して形成されるバネ部６と接続部７において、前記接続部７の略中央部と当該うちわ１の扇ぎ面の下端部をハトメ等の固定具１０にて固定し、当該うちわ１を扇ぐことにより前記モチーフ部８が風圧により傾倒できる構造とする。該構造であれば、立体動作は異なるものの、簡単な構造ながら上述した立体うちわ１と同様の効果が得られるものとなる。【００１８】  なお、上述した立体うちわ１のモチーフ部８として、各種図において富士山を例とした。この場合、うちわ１の背景部９として富士山周辺の風景写真や風景画が好���しく、モチーフ部８も四季折々の富士山とすれば、一つのモチーフで多くのバリエーションが増えて、美しさや興味及び愛着等を更に感じさせることができることになる。また、モチーフ部８は富士山を印刷した紙をリブ部５に貼着して構成するが、リブ部５全体を１枚の薄板として、これに直接印刷しても構わない。また、モチーフ部８として富士山以外に他の自然景観物，建築構造物，動植物，アニメキャラクター等の何れであっても構わない。背景部９もモチーフ部８に対応するものであればどのようなものであっても構わない。
【図面の簡単な説明】
【００１９】
【図１】本考案の立体うちわにおいてモチーフ部を立てた状態の外形図である。
【図２】本考案の立体うちわにおいてモチーフ部を伏せた状態の外形図である。
【図３】モチーフ部を立てた状態の機構説明図である。
【図４】モチーフ部を伏せた状態の機構説明図である。
【図５】保持具とスライド棒の嵌合状態を示した断面図である。
【図６】他の実施例による立体うちわの正面図である。
【符号の説明】
【００２０】  １  立体うちわ
２  握り部
３  保持具
３ａ  凹部
４  スライド棒
４ａ  凸部
４ｂ  先端部
５  リブ部
６  バネ部
７  接続部
８  モチーフ部
９  背景部
１０  固定具
【図１】
0003187543.tif 000003
【図２】
0003187543.tif 000004
【図３】
0003187543.tif 000005
【図４】
0003187543.tif 000006
【図５】
0003187543.tif 000007
【図６】
0003187543.tif 000008